【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
スプールファイルから文書データを入力するレイアウト処理手段と、
前記レイアウト処理手段から文書データを入力するプレビュー文書作成手段と、
前記プレビュー文書作成手段から文書データを入力する印刷コマンド生成処理手段と、
プレビュー用文書データに基づきプレビューを制御するプレビュー制御手段とを有し、
前記レイアウト処理手段は、プレビュー済フラグが設定されている場合、スプールファイルから入力された文書データを印刷設定情報に基づきレイアウト処理することなく前記プレビュー文書作成手段に出力し、プレビュー済フラグが設定されていない場合、印刷設定情報に基づきスプールファイルから入力された文書データのレイアウト処理を行い、レイアウト処理された文書データを前記プレビュー文書作成手段に出力し、
前記プレビュー文書作成手段は、プレビュー済みの場合またはプレビューが設定されていない場合、レイアウト処理された文書データを前記印刷コマンド生成処理手段に出力し、プレビュー済みでなくプレビューが設定されている場合、レイアウト処理された文書データにプレビュー済フラグを設定するとともに、プレビュー用文書データを作成し、
前記プレビュー制御手段は、作成されたプレビュー用文書データを読み込み、印刷イメージを表示させ、印刷指示に基づきプレビュー済フラグが設定された文書データを前記スプールファイルに出力し、
前記印刷コマンド生成処理手段は、レイアウト処理された文書データをプリンタが解釈可能な印刷コマンドに変換することを特徴とする情報処理装置。
【請求項２】
前記プレビュー文書作成手段は、プレビュー用文書データの作成に応じて印刷キューのジョブが削除されるように処理することを特徴とする請求項１記載の情報処理装置。
【請求項３】
プレビュー時に印刷指示された場合、印刷キューにプレビュー用文書を新規ジョブとして格納する格納手段を有することを特徴とする請求項２記載の情報処理装置。
【請求項４】
スプールファイルから文書データを入力するレイアウト処理手段と、
前記レイアウト処理手段から文書データを入力するプレビュー文書作成手段と、
前記プレビュー文書作成手段から文書データを入力する印刷コマンド生成処理手段と、
プレビュー用文書データに基づきプレビューを制御するプレビュー制御手段とを有する情報処理装置におけるプレビュー方法であって、
前記レイアウト処理手段は、プレビュー済フラグが設定されていない場合、印刷設定情報に基づきスプールファイルから入力された文書データのレイアウト処理を行い、レイアウト処理された文書データを前記プレビュー文書作成手段に出力し、
前記プレビュー文書作成手段は、プレビューが設定されていない場合、レイアウト処理された文書データを前記印刷コマンド生成処理手段に出力し、プレビュー済みでなくプレビューが設定されている場合、レイアウト処理された文書データにプレビュー済フラグを設定するとともに、プレビュー用文書データを作成し、
前記プレビュー制御手段は、作成されたプレビュー用文書データを読み込み、印刷イメージを表示させ、印刷指示に基づきプレビュー済フラグが設定された文書データを前記スプールファイルに出力し、
前記レイアウト処理手段は、プレビュー済フラグが設定されている場合、スプールファイルから入力された文書データを印刷設定情報に基づきレイアウト処理することなく前記プレビュー文書作成手段に出力し、
前記プレビュー文書作成手段は、プレビュー済みの場合、レイアウト処理された文書データを前記印刷コマンド生成処理手段に出力し、
前記印刷コマンド生成処理手段は、レイアウト処理された文書データをプリンタが解釈可能な印刷コマンドに変換することを特徴とするプレビュー方法。
【請求項５】
前記プレビュー文書作成手段は、プレビュー用文書データの作成に応じて印刷キューのジョブが削除されるように処理することを特徴とする請求項４記載のプレビュー方法。
【請求項６】
プレビュー時に印刷指示された場合、印刷キューにプレビュー用文書を新規ジョブとして格納することを特徴とする請求項５記載のプレビュー方法。
【請求項７】
スプールファイルから文書データを入力するレイアウト処理手段と、
前記レイアウト処理手段から文書データを入力するプレビュー文書作成手段と、
前記プレビュー文書作成手段から文書データを入力する印刷コマンド生成処理手段と、
プレビュー用文書データに基づきプレビューを制御するプレビュー制御手段としてコンピュータを機能させるためのプログラムであって、
前記レイアウト処理手段は、プレビュー済フラグが設定されている場合、スプールファイルから入力された文書データを印刷設定情報に基づきレイアウト処理することなく前記プレビュー文書作成手段に出力し、プレビュー済フラグが設定されていない場合、印刷設定情報に基づきスプールファイルから入力された文書データのレイアウト処理を行い、レイアウト処理された文書データを前記プレビュー文書作成手段に出力し、
前記プレビュー文書作成手段は、プレビュー済みの場合またはプレビューが設定されていない場合、レイアウト処理された文書データを前記印刷コマンド生成処理手段に出力し、プレビュー済みでなくプレビューが設定されている場合、レイアウト処理された文書データにプレビュー済フラグを設定するとともに、プレビュー用文書データを作成し、
前記プレビュー制御手段は、作成されたプレビュー用文書データを読み込み、印刷イメージを表示させ、印刷指示に基づきプレビュー済フラグが設定された文書データを前記スプールファイルに出力し、
前記印刷コマンド生成処理手段は、レイアウト処理された文書データをプリンタが解釈可能な印刷コマンドに変換することを特徴とするプログラム。
【請求項８】
プレビュー用文書データの作成に応じて印刷キューのジョブが削除されるように処理することをコンピュータに実行させることを特徴とする請求項７記載のプログラム。
【請求項９】
プレビュー時に印刷指示された場合、印刷キューにプレビュー用文書を新規ジョブとして格納することをコンピュータに実行させることを特徴とする請求項８記載のプログラム。
【請求項１０】
請求項７乃至９いずれか１項記載のプログラムを記憶した記憶媒体。
【手続補正２】
【補正対象書類名】明細書
【補正対象項目名】００１２
【補正方法】変更
【補正の内容】
【００１２】
上記目的を達成するために、本発明の情報処理装置は、
スプールファイルから文書データを入力するレイアウト処理手段と、
前記レイアウト処理手段から文書データを入力するプレビュー文書作成手段と、
前記プレビュー文書作成手段から文書データを入力する印刷コマンド生成処理手段と、
プレビュー用文書データに基づきプレビューを制御するプレビュー制御手段とを有し、
前記レイアウト処理手段は、プレビュー済フラグが設定されている場合、スプールファイルから入力された文書データを印刷設定情報に基づきレイアウト処理することなく前記プレビュー文書作成手段に出力し、プレビュー済フラグが設定されていない場合、印刷設定情報に基づきスプールファイルから入力された文書データのレイアウト処理を行い、レイアウト処理された文書データを前記プレビュー文書作成手段に出力し、
前記プレビュー文書作成手段は、プレビュー済みの場合またはプレビューが設定されていない場合、レイアウト処理された文書データを前記印刷コマンド生成処理手段に出力し、プレビュー済みでなくプレビューが設定されている場合、レイアウト処理された文書データにプレビュー済フラグを設定するとともに、プレビュー用文書データを作成し、
前記プレビュー制御手段は、作成されたプレビュー用文書データを読み込み、印刷イメージを表示させ、印刷指示に基づきプレビュー済フラグが設定された文書データを前記スプールファイルに出力し、
前記印刷コマンド生成処理手段は、レイアウト処理された文書データをプリンタが解釈可能な印刷コマンドに変換することを特徴とする。